(57)【特許請求の範囲】
【請求項１】
表壁、裏壁およびこれら両壁の周囲を周囲壁で閉じて中空部を形成し、前記周囲壁に切り込みを入れた切込部を設けて、前記切込部から補強材を前記中空部に挿入するプラスチック製中空体であって、
前記周囲壁に形成する前記切込部の一部は、前記周囲壁と連なる舌片状に形成した舌片を構成し、前記補強材の挿入により前記舌片が前記中空部側に折り込まれるようにしてあり、
前記周囲壁に前記切込部を囲む凹状の段差部を形成して前記切込部の周囲を平坦な目隠し片取り付け代とし、
前記舌片が前記周囲壁と連なる基端縁と、前記周囲壁と、の境にある前記目隠し片取り付け代に、前記段差部から間隔をあけて、前記舌片の折り込みに起因する歪みが前記周囲壁方向に波及するのを阻止するための凹状曲折規制部が形成されていることを特徴とするプラスチック製中空体。
【請求項２】
前記目隠し片取り付け代に、前記補強材の挿入により前記切込部に生じた挿入口を隠す目隠し片が取り付けられていることを特徴とする請求項１記載のプラスチック製中空体。
【発明の詳細な説明】
【技術分野】
【０００１】
本発明は、中空部に補強材を挿入するプラスチック製中空体に関するものである。
【背景技術】
【０００２】
熱可塑性合成樹脂のブロー成形により一対の対向壁を離隔してその周囲壁を互いに溶着して中空部を形成し、内部に補強材を挿入した合成樹脂製中空体は、実用新案登録第２５３８５１３号公報に記載されており、直線状に連続する空洞部を成形品本体と一体にブロー成形するとともに、成形品本体を補強するため補強用のパイプ材を空洞部の内部に挿通固定するブロー成形品の補強構造は、特許第３４７２４６０号公報に記載されている。また、補強材の挿入口とする切り込みによる切削粉や打ち抜きによる破片の処理を必要とせず、しかも補強材の挿入にともなって補強材の挿入口にめり込み部が形成されて補強材が支持固定される合成樹脂製中空体は、特開２００６−２０５６８６公報に記載されている。
【特許文献１】実用新案登録第２５３８５１３号公報
【特許文献２】特許第３４７２４６０号公報
【特許文献３】特開２００６−２０５６８６公報
【発明の開示】
【発明が解決しようとする課題】
【０００３】
前掲の特開２００６−２０５６８６公報に紹介されている技術によれば、補強材の挿入口を削り加工や打ち抜き加工によらず切り込みで施すことにより、切削粉や打ち抜きによる破片の処理が必要なく、しかも図６に示すように、補強材の挿入口を周囲壁に切り込みによって開けることにより、補強材の挿入にともなって補強材の挿入口にめり込み部が形成されて補強材が支持固定されるが、補強材の挿入過程で挿入口内にめり込む部分ａの基端縁ｂに変形歪みが生じて補強材ｃの支持固定状態が不安定になるほか、基端縁ｂ部分に変形歪みに起因する白化が生じてめり込み部ａの強度が低下するなどの問題がある。また、めり込み部ａの基端縁ｂの形状が平坦面とならず、補強材ｃの挿入部分の目隠し片ｄを取付ける場合にもめり込み部ａの基端縁ｂ側の取付け状態が不確実になるという問題もある。
【０００４】
そこで本発明は、切込部から補強材を挿入する過程で切込部の舌片が補強材の面に沿って折り込まれて補強材が強固に支持固定されるとともに舌片の基端縁部分に白化が生ぜず、また、周囲壁には切込部を囲む凹状の段差部を形成して切込部の周囲を平坦な目隠し片取付け代とすることができるプラスチック製中空体を提供することを目的とするものである。
【課題を解決するための手段】
【０００５】
前記目的を達成するため本発明のプラスチック製中空体は、表壁、裏壁およびこれら両壁の周囲を周囲壁で閉じて中空部を形成し、周囲壁に切り込みを入れた切込部を設けて、切込部から補強材を中空部に挿入するプラスチック製中空体であって、周囲壁に形成する切込部の一部は、周囲壁と連なる舌片状に形成した舌片を構成し、補強材の挿入により舌片が中空部側に折り込まれるようにしてあり、周囲壁に切込部を囲む凹状の段差部を形成して切込部の周囲を平坦な目隠し片取り付け代とし、舌片が周囲壁と連なる基端縁と、周囲壁と、の境にある目隠し片取り付け代に、段差部から間隔をあけて、舌片の折り込みに起因する歪みが周囲壁方向に波及するのを阻止するための凹状曲折規制部が形成されていることを特徴とするものである。
【発明の効果】
【０００８】
本発明によれば、周囲壁に形成する切込部の舌片が周囲壁と連なる基端縁と周囲壁との境に、舌片の折り込みに起因する歪みが周囲壁方向に波及するのを阻止するための凹状曲折規制部を形成したことにより、切込部から補強材を挿入する過程で切込部の舌片が補強材の面に沿って折り込まれて補強材が強固に支持固定されるとともに舌片の基端縁部分に白化が生ぜず、また、これにより周囲壁には切込部を囲む凹状の段差部を形成して切込部の周囲を平坦面な目隠し片取付け代とすることができ、周囲壁の切込部に補強材の挿入により生じた挿入口を隠す目隠し片を確実に取付けることができるものである。
【発明を実施するための最良の形態】
【００１０】
図面は本発明に係るプラスチック製中空体として自動車荷室のデッキボードを例示している。１はデッキボードであり、このデッキボード１は、表壁２に対して裏壁３を間隔をおいて対向させ、かつ周囲壁４で閉じて表壁２および裏壁３との間に中空部５を形成してなるものである。６は自動車荷室である。
【００１１】
デッキボード１は、周囲壁４の一方の端面から他方の端面方向に補強材７が挿入されている。この補強材７は真っ直ぐな筒状の金属パイプである。すなわち、デッキボード１の周囲壁４には切り込み８を入れた切込部９を設けてあって、この切込部９から補強材７を中空部５に挿入することにより補強したデッキボード１を構成している。本発明に係るプラスチック製中空体であるデッキボード１は、ＡＢＳ樹脂、変性ポリフェニレンオキサイド樹脂、ポリカーボネート樹脂、ポリアミド樹脂、ポリプロピレン樹脂、ポリエチレン樹脂等、ブロー成形可能な熱可塑性樹脂で構成される。また、補強材７は金属製であり、必要に応じて表面の滑り性を良くするため、メッキなどの表面処理を施すものとする。
【００１２】
前記周囲壁４に形成する切込部９の切り込みはコ字状にして一部が周囲壁４と連なる舌片状に形成してあり、その舌片１０は補強材７の挿入により中空部５側に折り込まれるようにしてあるとともに、舌片１０が周囲壁４と連なる基端縁１１と周囲壁４との境には、舌片１０の折り込みに起因する歪みが周囲壁方向に波及するのを阻止するための凹状曲折規制部１２を形成してある。また、周囲壁４には切込部９を囲む凹状の段差部１３を形成して、切込部９の周囲を平坦面な目隠し片取付け代１４となしている。周囲壁４の切込部９に補強材７の挿入により生じた挿入口は、不織布シール１５を目隠し片取付け代１４に貼着して外部から見えないように目隠ししている。前記段差部１３は不織布シール１５の厚みと同じかやや深い程度の浅い凹部をなしており、また前記目隠し片取付け代１４は舌片１０の基端縁１１側を含めて平坦面であるから、目隠し片取付け代１４に取付けた不織布シール１５は確実に貼着保持されるうえ、その周囲が段差部１３に囲まれて不用意に剥がれることが確実に防止される。
【００１３】
目隠し片は不織布シールでも、織布シールや紙シールであっても良い。また、特開平１１−１１５６８８公報のキャップ９若しくは前記特開平１１−１１５６８８公報の０００３項に記載されているキャップ１８の様なプラスチック製のキャップであっても良い。
【００１４】
デッキボード１の周囲壁４に形成する切込部９の切り込み８は前記コ字状のほか、エ字状、斜交い状のバツ（×）形の切り込みによるものであってもよく、これらの切込部によれば複数の舌片が形成されるが、そのいずれの形状の切込部であっても、一部が周囲壁と連なる各舌片の基端縁と周囲壁との境には、前記のように、舌片の折り込みに起因する歪みが周囲壁方向に波及するのを阻止するための凹状曲折規制部が形成される。
【００１５】
なお、凹状の曲折規制部を周囲壁と舌片の間に設けたことにより、補強材として角筒状の補強材だけでなく、円筒状の補強材も用いることが出来る。特許公開２００６−２０５６８６公報においては、角筒状の補強剤の使用を規定しているが、凹状曲折規制部が無いことにより、切込み部の舌片を補強材が押し込む際に、切込み部の端まで充分に押え込まねばならないために角筒状の補強材が必要とした。円筒状の補強材では、角筒状の補強材よりも舌片に起因する歪みが周囲壁に及ぼす範囲が大きくなり、形状も不安定となり、補強材を舌片が支持固定する効果も不安定になる。然るに、本件の様に、舌片と周囲壁の間に曲折規制部を設けることにより、円筒状の補強材であっても舌片を折り曲げる位置が規制を受け、押し込み時に発生する前記の歪は阻止出来る。さらに、補強材を角筒状から円筒状にすると、補強材の厚みを減らすことも可能となり、周囲の長さの分に加えて、角筒状に比べて円筒状の補強材はその使用する材料の絶対量を節減することが出来る。
【図面の簡単な説明】
【００１６】
【図１】本発明に係るプラスチック製中空体からなるデッキボードの一部を示す斜視図である。
【図２】同上デッキボードの一部を示す斜視図である。
【図３】デッキボードに補強材を挿入する過程の態様を示す一部の断面図である。
【図４】図２の過程からデッキボードに補強材を挿入した後の態様を示す一部の断面図である。
【図５】デッキボードを自動車荷室に備えた例を示す斜視図である。
【図６】従来のデッキボードの問題点を説明する一部の断面図である。
【符号の説明】
【００１７】
１  デッキボード
２  表壁
３  裏壁
４  周囲壁
５  中空部
６  自動車荷室
７  補強材
８  切り込み
９  切込部
１０  舌片
１１  基端縁
１２  凹状曲折規制部
１３  凹状の段差部
１４  目隠し片取付け代
１５  不織布シール
【図１】
0005159216.tif 000002
【図２】
0005159216.tif 000003
【図３】
0005159216.tif 000004
【図４】
0005159216.tif 000005
【図５】
0005159216.tif 000006
【図６】
0005159216.tif 000007